(57)【要約】【課題】  精度良く絶対角度を検出できる回転検出装置、およびこの回転検出装置を搭載した回転検出装置付き軸受を提供する。【解決手段】  この回転検出装置１は、互いに軸方向に並べて配置されかつ磁極数が互いに異なる複数の芯金付き磁気エンコーダ４２Ａ，４２Ｂと、これら各芯金付き磁気エンコーダ４２Ａ，４２Ｂの磁界をそれぞれ検出する複数の磁気センサ３Ａ，３Ｂと、これら各磁気センサ３Ａ，３Ｂの検出した磁界信号に基づいて磁気エンコーダの絶対角度を求める角度算出手段１９とを備える。各芯金付き磁気エンコーダ４２Ａ，４２Ｂは、それぞれ円筒状芯金１２の外周面に、円周方向に磁極が並ぶ磁気エンコーダ２Ａ，２Ｂを設けてなる。各芯金付き磁気エンコーダ４２Ａ，４２Ｂにおける芯金１２の互いに同一側端となる軸方向一端には、外径側に延びるフランジ１２ｂを形成する。【選択図】      図２
2010066142.tif 000002
【特許請求の範囲】
【請求項１】
それぞれ円筒状芯金の外周面に、円周方向に磁極が並ぶ磁気エンコーダを設けてなり、互いに軸方向に並べて配置されかつ磁極数が互いに異なる複数の芯金付き磁気エンコーダと、これら各芯金付き磁気エンコーダの磁界をそれぞれ検出する複数の磁気センサと、これら各磁気センサの検出した磁界信号に基づいて磁気エンコーダの絶対角度を求める角度算出手段とを備える回転検出装置において、
前記各芯金付き磁気エンコーダにおける芯金の互いに同一側端となる軸方向一端に、外径側に延びるフランジを形成したことを特徴とする回転検出装置。
【請求項２】
請求項１において、前記芯金のフランジの先端高さを、前記磁気エンコーダの表面高さ以上とした回転検出装置。
【請求項３】
請求項１において、前記芯金のフランジの先端高さを、前記磁気エンコーダの表面高さよりも低くし、かつ前記フランジを挟んで隣り合う磁気エンコーダをフランジの先端で互いに非接触とした回転検出装置。
【請求項４】
請求項１ないし請求項３のいずれか１項において、前記芯金が磁性体からなる回転検出装置。
【請求項５】
請求項１ないし請求項４のいずれか１項において、前記磁気エンコーダは、磁性体製の芯金に、磁性体粉が混入された弾性部材を加硫接着し、この弾性部材を、円周方向に交互に磁極を形成してゴム磁石としたものである回転検出装置。
【請求項６】
請求項１ないし請求項４のいずれか１項において、前記磁気エンコーダは、磁性体製の芯金に、磁性体粉が混入された樹脂を成形した樹脂成形体を設け、この樹脂成形体を、円周方向に交互に磁極を形成して樹脂磁石としたものである回転検出装置。
【請求項７】
請求項１ないし請求項４のいずれか１項において、前記磁気エンコーダは、磁性体粉と非磁性体粉との混合粉を焼結させた焼結体に、円周方向に交互に磁極を形成して焼結磁石としたものである回転検出装置。
【請求項８】
請求項１ないし請求項７のいずれか１項において、前記各磁気センサが、磁気エンコーダの磁極の並び方向に沿ってセンサ素子が並ぶラインセンサで構成された回転検出装置。
【請求項９】
請求項１ないし請求項８のいずれか１項に記載の回転検出装置が軸受に搭載された回転検出装置付き軸受。
【発明の詳細な説明】
【技術分野】
【０００１】
この発明は、各種の機器における回転角度検出、特に各種モータの回転制御のための回転角度検出などに用いられる回転検出装置、およびその回転検出装置を搭載した回転検出装置付き軸受に関する。
【背景技術】
【０００２】
この種の回転検出装置として、磁気パルスを発生する例えば周方向に磁極対を並べた磁気エンコーダなどのリング状の磁気パルス発生手段と、この磁気パルス発生手段に対してその周方向にほぼライン状に並べられ前記磁気パルスを検出する複数の磁気センサ素子とを備え、磁気センサ素子の出力信号を演算することにより絶対角度を検出するようにしたものが提案されている（例えば特許文献１，２）。
【０００３】
また、他の回転検出装置として、１回転あたりの磁極対数が異なる２つの磁気エンコーダを有する磁気ドラムと、前記各磁気エンコーダの磁界を検出する２つの磁気センサとを設け、磁気センサが検出する２つの磁気エンコーダの磁界信号の位相差に基づいて絶対角度を検出するようにしたものも提案されている（例えば特許文献３）。
【特許文献１】特表２００１−５１８６０８号公報
【特許文献２】特表２００２−５４１４８５号公報
【特許文献３】特開平０６−０５８７６６号公報
【発明の開示】
【発明が解決しようとする課題】
【０００４】
しかし、上記した回転検出装置では、磁気エンコーダから高い分解能の絶対角度を検出することは難しい。
そこで、特許文献３に開示の回転検出装置において、磁気センサとして、特許文献１，２に開示の回転検出装置におけるように、磁気エンコーダの磁極内における位置の情報を検出する機能を有するものを使用することで、高い分解能の絶対角度を検出することが考えられる。
【０００５】
しかし、このような構成とした回転検出装置において、複数の磁気センサと演算処理回路を同一半導体チップ上に集積する場合、２つの磁気エンコーダを隣接させて配置することで磁気センサの間隔を狭めようとすると、両方の磁気エンコーダの磁気パターンが互いに干渉して角度検出精度が悪化する。その結果、絶対角度を算出するための位相差が正確に求められず、絶対角度の算出誤差が増大する。
磁気センサの配置間隔を広くすれば上記問題を解決できるが、それでは半導体チップ面積が大きくなり、コストアップを招く。また、別々に着磁した磁気エンコーダを組み合わせる場合、組立作業に手間がかかる。
【０００６】
この発明の目的は、絶対角度を高い分解能で精度良く検出できる回転検出装置、およびこの回転検出装置を搭載した回転検出装置付き軸受を提供することである。
【課題を解決するための手段】
【０００７】
この発明の回転検出装置は、それぞれ円筒状芯金の外周面に、円周方向に磁極が並ぶ磁気エンコーダを設けてなり、互いに軸方向に並べて配置されかつ磁極数が互いに異なる複数の芯金付き磁気エンコーダと、これら各芯金付き磁気エンコーダの磁界をそれぞれ検出する複数の磁気センサと、これら各磁気センサの検出した磁界信号に基づいて磁気エンコーダの絶対角度を求める角度算出手段とを備える回転検出装置において、前記各芯金付き磁気エンコーダにおける芯金の互いに同一側端となる軸方向一端に、外径側に延びるフランジを形成したことを特徴とする。
上記構成によると、複数の磁気エンコーダの磁極数が互いに異なるため、絶対角度が検出できる。例えば、磁極対が１２の芯金付き磁気エンコーダと１３の芯金付き磁気エンコーダを用いて回転させると、これら磁界を検出する２つの磁気センサの信号の間には、１回転に１磁極対分の位相ずれが発生するので、この位相差に基づいて角度算出手段により１回転の区間での絶対角度を算出することができる。
特に、各芯金付き磁気エンコーダにおける芯金の互いに同一側端となる軸方向一端に、外径側に延びるフランジを形成したので、隣り合う磁気エンコーダが芯金のフランジで分離される。これにより、対応する磁気センサの間隔を広げなくても、両芯金付き磁気エンコーダの磁気パターンの間での干渉を小さくすることができ、磁界の干渉に起因する絶対角度の検出誤差も低減でき、絶対角度を精度良く検出できる。また、磁気センサの間隔を広げることなく、絶対角度の検出精度を上げられるため、磁気センサを演算回路などと共に半導体チップ上に集積してセンサモジュールを構成する場合にも、製造コストを低減できる。また、芯金の一端にフランジを形成することで芯金の剛性を上げることができ、芯金を回転部材に取付けるときに磁気エンコーダの変形を抑えることができ、この点からも絶対角度を精度良く検出できる。
【０００８】
この発明において、前記芯金のフランジの先端高さを、前記磁気エンコーダの表面高さ以上としても良い。
芯金のフランジの先端高さを、磁気エンコーダの表面高さ以上とした場合、フランジで分離される隣り合う磁気エンコーダの間に発生する磁気パターンの干渉をより効果的に抑えることができ、絶対角度の検出精度をさらに向上させることができる。
【０００９】
この発明において、前記芯金のフランジの先端高さを、前記磁気エンコーダの表面高さよりも低くし、かつ前記フランジを挟んで隣り合う磁気エンコーダをフランジの先端で非接触としても良い。
この場合にも、フランジの先端位置では、隣り合う磁気エンコーダが完全に分離して隙間が生じているため、これら両磁気エンコーダの間で発生する磁気パターンの干渉を抑える効果が得られる。しかも、この場合、芯金と磁気センサの間の距離も適正に確保することができる。
【００１０】
この発明において、前記芯金が磁性体からなるものであっても良い。
芯金の材質は非磁性体であっても良いが、芯金が磁性体製であると、隣り合う磁気エンコーダの間に発生する磁気パターンの干渉を小さくでき、対応する磁気センサの間隔を広げることなく絶対角度を精度良く検出することができる。
【００１１】
この発明において、前記磁気エンコーダは、磁性体製の芯金に、磁性体粉が混入された弾性部材を加硫接着し、この弾性部材を、円周方向に交互に磁極を形成してゴム磁石としたものであっても良い。
【００１２】
この発明において、前記磁気エンコーダは、磁性体製の芯金に、磁性体粉が混入された樹脂を成形した樹脂成形体を設け、この樹脂成形体を、円周方向に交互に磁極を形成して樹脂磁石としたものであっても良い。
【００１３】
この発明において、前記磁気エンコーダは、磁性体粉と非磁性体粉との混合粉を焼結させた焼結体に、円周方向に交互に磁極を形成して焼結磁石としたものであっても良い。
【００１４】
この発明において、前記各磁気センサが、磁気エンコーダの磁極の並び方向に沿ってセンサ素子が並ぶラインセンサで構成されたものであっても良い。
磁気センサをこのようなラインセンサとすると、磁気エンコーダの磁界分布をオン・オフ信号としてではなく、アナログ電圧による正弦波状の信号としてより細かく検出でき、精度の良い絶対角度径が可能となる。
この場合に、前記ラインセンサで構成された磁気センサは、sin およびcos の２相の出力信号を演算によって生成して、磁極内における位置を検出するものであっても良い。また、前記各磁気センサは、ラインセンサとする代わりに、互いに磁極ピッチ内で磁極並び方向にずれた位置に配置された複数のセンサ素子を有し、sin およびcos の２相の出力信号が得られるものであって、磁極内の位置を逓倍して検出するものであっても良い。
【００１５】
この発明の回転検出装置付き軸受は、この発明の上記いずれかの構成の回転検出装置を軸受に搭載したものである。
この構成によると、回転検出装置が軸受と一体化されているので、磁気エンコーダと磁気センサの位置決めが不要となり、使い勝手が良い。また、絶対角度の検出機能を有しながら、軸受使用機器の部品点数、組立工数の削減、およびコンパクト化が図れる。
【発明の効果】
【００１６】
この発明の回転検出装置は、それぞれ円筒状芯金の外周面に、円周方向に磁極が並ぶ磁気エンコーダを設けてなり、互いに軸方向に並べて配置されかつ磁極数が互いに異なる複数の芯金付き磁気エンコーダと、これら各芯金付き磁気エンコーダの磁界をそれぞれ検出する複数の磁気センサと、これら各磁気センサの検出した磁界信号に基づいて磁気エンコーダの絶対角度を求める角度算出手段とを備える回転検出装置において、前記各芯金付き磁気エンコーダにおける芯金の互いに同一側端となる軸方向一端に、外径側に延びるフランジを形成したため、絶対角度を高い分解能で精度良く検出することができる。
この発明の回転検出装置付き軸受は、この発明の上記構成の回転検出装置を軸受に搭載したものであるため、使い勝手が良く、絶対角度の検出機能を有しながら、軸受使用機器の部品点数、組工数の削減、およびコンパクト化が図れる。
【発明を実施するための最良の形態】
【００１７】
この発明の一実施形態を図１ないし図１２と共に説明する。図１は、この実施形態の回転検出装置の概略構成を示す。この回転検出装置１は、例えばモータの回転軸などの回転部材４の外周に、その軸心Ｏに対して同心のリング状に設けられた複数（ここでは２つ）の芯金付き磁気エンコーダ４２Ａ，４２Ｂと、これら各芯金付き磁気エンコーダ４２Ａ，４２Ｂの磁界をそれぞれ検出する複数（ここでは２つ）の磁気センサ３Ａ，３Ｂとを備える。
【００１８】
磁気センサ３Ａ，３Ｂは、前記各芯金付き磁気エンコーダ４２Ａ，４２Ｂに対して微小のギャップを介してそれぞれ径方向（ラジアル方向）に対向するように、例えばモータのハウジング等の固定部材５に設けられる。ここでは、磁気センサ３Ａが芯金付き磁気エンコーダ４２Ａに対向し、磁気センサ３Ｂが芯金付き磁気エンコーダ４２Ｂに対向する。
【００１９】
図１のII−II矢視断面図を図２に示す。同図のように、前記各芯金付き磁気エンコーダ４２Ａ，４２Ｂは、互いに軸方向に並べて配置される。各芯金付き磁気エンコーダ４２Ａ，４２Ｂは、図３のように、それぞれ円筒状芯金１２の外周面に磁気エンコーダ２Ａ（２Ｂ）を設けてなる。各芯金１２における磁気エンコーダ設置部１２ａの互いに同一側端となる軸方向一端（図２では右端）には、外径側に延びるフランジ１２ｂが形成されている。また、磁気エンコーダ設置部１２ａの軸方向他端には内径側に延びる段部１２ｃ、およびこの段部１２ｃの内径側端から軸方向に延びる嵌合筒部１２ｄが形成されている。この嵌合筒部１２ｄを回転部材４の外周面に嵌合させることで、芯金１２が回転部材４に固定される。また、前記段部１２ｃの径方向高さは嵌合筒部１２ｄの厚さよりも高くされていて、磁気エンコーダ設置部１２ａの内側に、軸方向に並ぶ隣の芯金１２の嵌合筒部１２ｄが挿入される。これにより、隣り合う芯金付き磁気エンコーダ４２Ａ，４２Ｂの各磁気エンコーダ２Ａ，２Ｂは、一方の芯金付き磁気エンコーダ４２Ａにおける芯金１２のフランジ１２ｂに挟まれて分離される。一方の芯金付き磁気エンコーダ４２Ａの芯金端部のフランジ１２ｂは、隣の芯金付き磁気エンコーダ４２Ｂの段部１２ｃに接しているが、この状態で、一方の芯金付き磁気エンコーダ４２Ａの上記フランジ１２ｂは、隣の芯金付き磁気エンコーダ４２Ｂの磁気エンコーダ２Ｂに対して隙間が介在して非接触となっている。
【００２０】
磁気エンコーダ２Ａ，２Ｂは、複数の磁極対（磁極Ｓと磁極Ｎの１組）を円周方向に等ピッチで着磁させたリング状の磁性部材であり、これら２つの磁気エンコーダ２Ａ，２Ｂの磁極対の数は互いに異ならせてある。
【００２１】
芯金１２におけるフランジ１２ｂの先端高さは、図４（Ａ）のように磁気エンコーダ２Ａ（２Ｂ）の表面高さ以上としても良いし、図４（Ｂ）のように磁気エンコーダ２Ａ（２Ｂ）の表面高さより低くし、かつフランジ１２ｂを挟んで隣り合う磁気エンコーダ２Ａ，２Ｂを、フランジ部１２ｂの先端で非接触としても良い。
【００２２】
磁気エンコーダ２Ａ，２Ｂは、例えば磁性体製とした芯金１２に、磁性体粉が混入された弾性部材を加硫接着し、この弾性部材を、円周方向に交互に磁極を形成してゴム磁石として構成される。
磁気エンコーダ２Ａ，２Ｂの他の構成例として、磁性体製とした芯金１２に、磁性体粉が混入された樹脂を成形した樹脂成形体を設け、この樹脂成形体を、円周方向に交互に磁極を形成して樹脂磁石としても良い。
磁気エンコーダ２Ａ，２Ｂのさらに他の構成例として、磁性体粉と非磁性体粉との混合粉が焼結された焼結体に、円周方向に交互に磁極を形成して焼結磁石としても良い。
【００２３】
磁気センサ３Ａ，３Ｂは、対応する磁気エンコーダ２Ａ，２Ｂの磁極対の数よりも高い分解能で磁極検出できる機能、つまり磁気エンコーダ２Ａ，２Ｂの磁極の範囲内における位置の情報を検出する機能を有するものとされる。この機能を満たすために、例えば磁気センサ３Ａとして、対応する磁気エンコーダ２Ａの１磁極対のピッチλを１周期とするとき、図５のように９０度位相差（λ／４）となるように磁極の並び方向に離して配置したホール素子などの２つの磁気センサ素子３Ａ１，３Ａ２を用い、これら２つの磁気センサ素子３Ａ１，３Ａ２により得られる２相の信号(sinφ,cosφ) から磁極内位相（φ=tan-1(sinφ／cos φ))を逓倍して算出するものとしても良い。他の磁気センサ３Ｂについても同様である。なお、図５の波形図は、磁気エンコーダ２Ａの磁極の配列を磁界強度に換算して示したものである。
【００２４】
磁気センサ３Ａ，３Ｂをこのような構成とすると、磁気エンコーダ２Ａ，２Ｂの磁界分布をオン・オフ信号としてではなく、アナログ電圧による正弦波状の信号としてより細かく検出でき、精度の良い絶対角度検出が可能となる。
【００２５】
磁気エンコーダ２Ａ，２Ｂの磁極内における位置の情報を検出する機能を有する磁気センサ３Ａ，３Ｂの他の例として、図６（Ｂ）に示すようなラインセンサを用いても良い。すなわち、例えば磁気センサ３Ａとして、対応する磁気エンコーダ２Ａの磁極の並び方向に沿って磁気センサ素子３ａが並ぶラインセンサ３ＡＡ，３ＡＢを用いる。なお、図６（Ａ）は、磁気エンコーダ２Ａにおける１磁極の区間を磁界強度に換算して波形図で示したものである。この場合、磁気センサ３Ａの第１のラインセンサ３ＡＡは、図６（Ａ）における１８０度の位相区間のうち９０度の位相区間に対応付けて配置し、第２のラインセンサ３ＡＢは残りの９０度の位相区間に対応付けて配置する。このような配置構成により、第１のラインセンサ３ＡＡの検出信号を加算回路３１で加算した信号Ｓ１と、第２のラインセンサ３ＡＢの検出信号を加算回路３２で加算した信号Ｓ２を別の加算回路３３で加算することで、図６（Ｃ）に示すような磁界信号に応じたsin 信号を得る。また、信号Ｓ１と、インバータ３５を介した信号Ｓ２をさらに別の加算回路３４で加算することで、図６（Ｃ）に示すような磁界信号に応じたcos 信号を得る。このようにして得られた２相の出力信号から、磁極内における位置を検出する。
【００２６】
磁気センサ３Ａ，３Ｂをこのようにラインセンサで構成した場合、磁気エンコーダ２Ａ，２Ｂの１磁極対の区間を２相の信号(sinφ,cosφ) で精度良く逓倍できる。また、磁極内位相（φ=tan-1(sinφ/cosφ))などの演算を必要としないので、検出処理が単純で高速化が可能となる。また、多数のセンサ出力をチップ回路内で演算して逓倍信号を得ることができるため、磁界パターンの歪みやノイズの影響が低減されて、磁気エンコーダ２Ａ，２Ｂとのギャップを他のセンサ構成の場合よりも大きくできて、より高い精度で磁気エンコーダ２Ａ，２Ｂの位相を検出することが可能である。
【００２７】
例えば、図１の構成例において、磁気センサ３Ａ，３Ｂは角度算出手段１９に接続される。この角度算出手段１９は、各磁気センサ３Ａ，３Ｂの検出した磁界信号の位相差を求める位相差検出手段６と、その後段に接続された角度算出部７とでなる。角度算出部７は、位相差検出手段６の検出した位相差に基づいて磁気エンコーダ２Ａ，２Ｂの絶対角度を算出する手段である。
【００２８】
この構成の回転検出装置１による絶対角度検出の概略動作を、図７および図８を参照して以下に説明する。図１において、２つの磁気エンコーダ２Ｂ，２Ａの磁極対の数をＰとＰ＋ｎとすると、両磁気エンコーダ２Ａ，２Ｂの間では１回転あたり磁極対にしてｎ個分の位相差があるので、これら磁気エンコーダ２Ａ，２Ｂに対応する磁気センサ３Ａ，３Ｂの検出信号の位相は、３６０／ｎ度回転するごとに一致する。
【００２９】
図７（Ａ），（Ｂ）には両磁気エンコーダ２Ａ，２Ｂの磁極のパターン例を示し、図７（Ｃ），（Ｄ）にはこれら磁気エンコーダに対応する磁気センサ３Ａ，３Ｂの検出信号の波形を示す。この場合、磁気エンコーダ２Ａの３磁極対に対して、磁気エンコーダ２Ｂの２磁極対が対応しており、この区間内での絶対位置を検出することができる。図７（Ｅ）は、図７（Ｃ），（Ｄ）の検出信号に基づき、図１の位相差検出手段６より求められる位相差の出力信号の波形図を示す。
なお、図８は、各磁気センサ３Ａ，３Ｂによる検出位相と位相差の波形図を示す。すなわち、図８（Ａ），（Ｂ）には両磁気エンコーダ２Ａ，２Ｂの磁極のパターン例を示し、図８（Ｃ），（Ｄ）には対応する磁気センサ３Ａ，３Ｂの検出位相の波形図を示し、図８（Ｅ）には位相差検出手段６より出力される位相差信号の波形図を示す。
【００３０】
図９は、この回転検出装置１における絶対角度検出回路の構成例を示す。図７（Ｃ），（Ｄ）に示したような各磁気センサ３Ａ，３Ｂの検出信号に基づき、それぞれ対応する位相検出回路１３Ａ，１３Ｂは、図８（Ｃ），（Ｄ）に示したような検出位相信号を出力する。位相差検出手段６は、これらの検出位相信号に基づき、図８（Ｅ）に示したような位相差信号を出力する。その次段に設けられた角度算出部７は、位相差検出手段６で求められた位相差を、予め設定された計算パラメータにしたがって絶対角度へ換算する処理を行う。角度算出部７で用いられる計算パラメータは不揮発メモリなどのメモリ８に記憶されている。このメモリ８には、前記計算パラメータのほか、磁気エンコーダ２Ａ，２Ｂの磁極対の数の設定、絶対角度基準位置、信号出力の方法など、装置の動作に必要な情報が記憶されている。ここでは、メモリ８の次段に通信インタフェース９を設けることで、通信インタフェース９を通じてメモリ８の内容を更新できる構成とされている。これにより、個別の設定情報を使用状況に応じて可変設定でき、使い勝手が良くなる。
【００３１】
角度算出部７で算出された絶対角度情報は、パラレル信号、シリアルデータ、アナログ電圧、ＰＷＭなどの変調信号として、角度情報出力回路１０から、あるいは前記通信インタフェース９を介して出力される。また、角度算出部７からは回転パルス信号も出力される。回転パルス信号としては、２つの磁気センサ３Ａ，３Ｂの検出信号のうち、いずれか１つの信号を出力すれば良い。上記したように、各磁気センサ３Ａ，３Ｂはそれぞれ逓倍機能を備えているので、高い分解能で回転信号を出力することができる。
【００３２】
図９の角度情報出力回路１０では、前記角度算出部７で算出された絶対角度を、互いに９０度位相の異なるＡ相およびＢ相の２つのパルス信号と、原点位置を示すＺ相のパルス信号とでなるＡＢＺ相信号として出力するようにしても良い。
この場合、図１０に示すように、受信側回路１４から角度情報出力回路１０に対して絶対角度出力の要求信号（request ）が入力されると、これに呼応して角度情報出力回路１０における絶対角度実行手段１５が動作可能となり、角度情報出力回路１０におけるモード実行信号生成手段１６から絶対角度出力モード中であることを示すモード実行信号（ＡＢＳ＿mode＝１）が生成され、角度情報出力回路１０における回転パルス信号生成手段１７からＡ，Ｂ，Ｚ相信号が出力されるように、角度情報出力回路１０を構成しても良い。  受信側回路１４では、Ｚ相信号を受信することで絶対角度値を示すポジションカウンタ１８が０にリセットされ、Ｚ相信号に続いて出力されるＡ相信号およびＢ相信号を、前記ポジションカウンタ１８が計数する。Ａ相信号およびＢ相信号のパルス出力が、一旦現在の絶対角度値に達すると、そこで絶対角度出力モード動作が終了する（ＡＢＳ＿mode＝０）。その後は、回転部材４（図１）の回転に伴い検出される絶対角度の変化に応じた回転パルス信号（ＡＢＺ相信号）を角度算出部７から出力する。これにより、パルスを計数することで絶対角度を知る受信側回路１４では、絶対角度出力モード動作が終了（ＡＢＳ＿mode＝０）となった後は実際の絶対角度情報を常に取得している状態となる。
【００３３】
このように、角度情報出力回路１０からＡＢＺ相信号のような回転パルス信号を出力し、絶対角度出力モードによって絶対角度情報を出力する構成とすると、絶対角度を出力するインタフェースを別途備える必要がなく、この回転検出装置１の回路構成、および回転検出装置１が搭載される機器側の回路構成を簡略化することができる。
【００３４】
また、この回転検出装置１において、前記磁気センサ３Ａ，３Ｂと、図１０に示した角度情報出力回路１０を含む信号処理回路とを、例えば図１のようにセンサモジュール１１として一体化しても良いし、このセンサモジュール１１を１つの半導体チップに集積しても良い。このように構成した場合、部品点数の低減、磁気センサ３Ａ，３Ｂの互いの位置精度の向上、製造コストの低減、組立コストの低減、信号ノイズ低減による検出精度向上などのメリットが得られ、小型で低コストの回転検出装置１とすることができる。
なお、この場合、２つの磁気エンコーダ２Ａ，２Ｂに対して１つのセンサモジュール１１を対向させることになるので、２つの磁気エンコーダ２Ａ，２Ｂは互いに近接して配置させることになる。
【００３５】
このように、この回転検出装置１は、それぞれ円筒状芯金１２の外周面に、円周方向に磁極が並ぶ磁気エンコーダ２Ａ，２Ｂを設けてなり、互いに軸方向に並べて配置されかつ磁極数が互いに異なる複数の芯金付き磁気エンコーダ４２Ａ，４２Ｂと、これら各芯金付き磁気エンコーダ４２Ａ，４２Ｂの磁界をそれぞれ検出する複数の磁気センサ３Ａ，３Ｂと、これら各磁気センサ３Ａ，３Ｂの検出した磁界信号に基づいて磁気エンコーダ２Ａ，２Ｂの絶対角度を求める角度算出手段１９とを備えるため、磁気エンコーダ２Ａ，２Ｂの絶対角度を検出することができる。
とくに、各芯金付き磁気エンコーダ４２Ａ，４２Ｂにおける芯金１２の互いに同一側端となる軸方向一端に、外径側に延びるフランジ１２ｂを形成しているので、隣り合う磁気エンコーダ２Ａ，２Ｂが芯金１２のフランジ１２ｂで分離される。これにより、対応する磁気センサ３Ａ，３Ｂの間隔を広げなくても、両磁気エンコーダ２Ａ，２Ｂの磁気パターンの間での干渉を小さくすることができ、磁界の干渉に起因する絶対角度の検出誤差も低減でき、絶対角度を精度良く検出できる。また、磁気センサ３Ａ，３Ｂの間隔を広げることなく、絶対角度の検出精度を上げられるため、磁気センサ３Ａ，３Ｂを演算回路などと共に半導体チップ上に集積してセンサモジュール１１を構成する場合にも、製造コストを低減できる。
【００３６】
芯金１２の材質は非磁性体であっても磁性体であっても良い。芯金１２の材質が非磁性体でも、そのフランジ１２ｂで隣り合う磁気エンコーダ２Ａ，２Ｂを引き離す効果があるため、隣り合う磁気エンコーダ２Ａ，２Ｂの間に発生する磁気パターンの干渉を減らすことができる。芯金１２が磁性体製であると、隣り合う磁気エンコーダ２Ａ，２Ｂの間に発生する磁気パターンの干渉を小さくでき、対応する磁気センサ３Ａ，３Ｂの間隔を広げることなく絶対角度を精度良く検出することができる。
【００３７】
芯金１２のフランジ１２ｂの先端高さを、図４（Ａ）のように磁気エンコーダ２Ａ，２Ｂの表面高さ以上とした場合、フランジ１２ｂで分離される隣り合う磁気エンコーダ２Ａ，２Ｂの間に発生する磁気パターンの干渉をより効果的に抑えることができ、絶対角度の検出精度をさらに向上させることができる。
【００３８】
芯金１２のフランジ１２ｂの先端高さは、図４（Ｂ）のように磁気エンコーダ２Ａ，２Ｂの表面高さより低くしても良い。この場合にも、フランジ１２ｂの先端位置では、隣り合う磁気エンコーダ２Ａ，２Ｂが完全に分離して隙間が生じているため、これら両磁気エンコーダ２Ａ，２Ｂの間で発生する磁気パターンの干渉を抑える効果が得られる。しかも、この場合、芯金１２と磁気センサ３Ａ，３Ｂの間の距離も適正に確保することができる。
【００３９】
図１１は、上記した芯金１２のフランジ１２ｂで隣り合う芯金付き磁気エンーダ４２Ａ，４２Ｂの磁気エンコーダ２Ａ，２Ｂを分離したこの実施形態の回転検出装置１の絶対角度誤差と、芯金にフランジがなく隣り合う磁気エンコーダ２Ａ，２Ｂを隙間なく隣接させた場合の回転検出装置の絶対角度誤差とを比較した結果を、グラフで示したものである。このグラフから、磁気センサ３Ａ，３Ｂの間隔が同じであっても、芯金１２にフランジ１２ｂを設けたこの実施形態の回転検出装置１の方が、隣り合う磁気エンコーダ２Ａ，２Ｂを隙間なく隣接させた回転検出装置に比べて絶対角度誤差が低減されていることが分かる。
【００４０】
この実施形態では、２つの芯金付き磁気エンコーダ４２Ａ，４２Ｂを用いたものを例示したが、芯金付き磁気エンコーダは２つでなくてもよく、磁極対の数の異なる３つ以上の芯金付き磁気エンコーダを組み合わせて、より広い範囲の絶対角度を検出する構成としても良い。この回転検出装置１をモータの回転検出に使用する場合、上記磁極対の数の差の調整において、モータのロータ極数Ｐｎに合わせてＰとＰ＋Ｐｎという組合せとすれば、回転検出装置１によりモータの電気角を検出できるため、モータの回転制御に好都合である。
【００４１】
図１２は、上記回転検出装置１を軸受に搭載した回転検出装置付き軸受の一実施形態を示す断面図である。この回転検出装置付き軸受２０は、回転側軌道輪である内輪２２と固定側軌道輪である外輪２３の間に複数の転動体２４が介在する転がり軸受２１の一端部に、上記回転検出装置１を設けたものである。転がり軸受２１は深溝玉軸受からなり、内輪２２の外径面および外輪２３の内径面にはそれぞれ転動体２４の転走面２２ａ，２３ａが形成されている。内輪２２と外輪２３の間の軸受空間は、回転検出装置１の設置側とは反対側の端部がシール２６で密封されている。
【００４２】
回転検出装置１の２つの芯金付き磁気エンコーダ４２Ａ，４２Ｂは、内輪２２の一端部の外径面に圧入嵌合されるリング状の支持部材３６の外径面に軸方向に並べて設けられ、それらの各磁気エンコーダ２Ａ，２Ｂは、一方の芯金付き磁気エンコーダ４２Ａにおける芯金１２のフランジ１２ｂで分離される。回転検出装置１の２つの磁気センサ３Ａ，３Ｂは、他の信号処理回路と共にセンサモジュール１１として一体化され、リング状の金属製センサハウジング２８の内側に挿入された状態で樹脂モールド２９され、センサハウジング２８を介して外輪２３の一端部の内径面に取付けられる。これにより、各芯金付き磁気エンコーダ４２Ａ，４２Ｂの磁気エンコーダ２Ａ，２Ｂと、これらに対応する磁気センサ３Ａ，３Ｂとがラジアル方向に対向配置される。センサモジュール１１に接続されるリード線３０はセンサハウジング２８を貫通して外部に引き出され、このリード線３０を介してセンサモジュール１１と外部回路との間で信号の授受や電源供給が行われる。
【００４３】
この回転検出装置付き軸受２０では、上記回転検出装置１を転がり軸受２１に搭載しているので、芯金付き磁気エンコーダ４２Ａ，４２Ｂと磁気センサ３Ａ，３Ｂの位置決めが不要となり、使い勝手が良い。また、絶対角度の検出機能を有しながら、軸受使用機器の部品点数、組立工数の削減、およびコンパクト化を図ることができる。
【図面の簡単な説明】
【００４４】
【図１】この発明の一実施形態にかかる回転検出装置の一構成例の概略図である。
【図２】図１におけるII−II矢視拡大断面図である。
【図３】芯金付き磁気エンコーダの拡大断面図である。
【図４】（Ａ）は芯金のフランジの一例の断面図、（Ｂ）は芯金のフランジの他の例の断面図である。
【図５】磁気センサの一構成例の説明図である。
【図６】磁気センサの他の構成例の説明図である。
【図７】磁気センサの検出信号および位相差検出手段の検出信号の波形図である。
【図８】各磁気センサの検出信号の位相と両検出信号の位相差を示す波形図である。
【図９】この回転検出装置の絶対角度検出回路の一構成例を示すブロック図である。
【図１０】この回転検出装置における角度情報出力回路の一構成例を示すブロック図である。
【図１１】この回転検出装置の絶対角度誤差を他の回転検出装置の絶対角度誤差と比較して示すグラフである。
【図１２】この回転検出装置を軸受に搭載した回転検出装置付き軸受の一実施形態を示す断面図である。
【符号の説明】
【００４５】
１…回転検出装置
２Ａ，２Ｂ…磁気エンコーダ
３Ａ，３Ｂ…磁気センサ
３Ａ１，３Ａ２…磁気センサ素子
３ＡＡ，３ＡＢ…ラインセンサ
１２…芯金
１２ｂ…芯金のフランジ
１９…角度算出手段
２０…回転検出装置付き軸受
２１…転がり軸受
４２Ａ，４２Ｂ…芯金付き磁気エンコーダ
【図１】
2010066142.tif 000003
【図２】
2010066142.tif 000004
【図３】
2010066142.tif 000005
【図４】
2010066142.tif 000006
【図５】
2010066142.tif 000007
【図６】
2010066142.tif 000008
【図７】
2010066142.tif 000009
【図８】
2010066142.tif 000010
【図９】
2010066142.tif 000011
【図１０】
2010066142.tif 000012
【図１１】
2010066142.tif 000013
【図１２】
2010066142.tif 000014